(57)【要約】【課題】  デザインを犠牲にせず、またヒンジ部分の剛性を高めることなく過大負荷による回動軸の破損を防止する。【解決手段】  装置本体（例えば、カメラ本体）１０に回動軸３３を介して蓋２０を開閉可能に支持する構造において、回動軸３３を弾性支持部材３２により装置本体１０に支持し、開放側制限位置にある蓋２０に更に開方向の力が加わると、弾性支持部材３２の弾性変形により回動軸３３が移動することで、蓋２０の開放側制限を超えた開放が許容される。例えば、装置本体の一部をなす板状の樹脂部材を弾性支持部材として用いることで、部品点数の低減が図れる。回動軸そのものを弾性体で構成してもよい。【選択図】        図５
2005208143.tif 000002
【特許請求の範囲】
【請求項１】
装置本体に回動軸を介して蓋を開閉可能に支持する構造において、
前記回動軸を弾性支持部材により前記装置本体に支持し、開放側制限位置にある蓋に更に開方向の力が加わると、前記弾性支持部材の弾性変形により前記回動軸が移動することで、前記蓋の開放側制限を超えた開放が許容されるよう構成したことを特徴とする蓋構造。
【請求項２】
前記弾性支持部材は板ばねであることを特徴とする請求項１に記載の蓋構造。
【請求項３】
装置本体の一部をなす板状の樹脂部材を前記弾性支持部材として用いたことを特徴とする請求項１に記載の蓋構造。
【請求項４】
装置本体に回動軸を介して蓋を開閉可能に支持する構造において、
前記回動軸を弾性部材で構成し、開放側制限位置にある蓋に更に開方向の力が加わると、前記回動軸が弾性変形することで、前記蓋の開放側制限を超えた開放が許容されるよう構成したことを特徴とする蓋構造。
【請求項５】
前記蓋が前記開放側制限を超えて所定位置まで開放されると、蓋の先端側が装置本体に当接することで、前記回動軸に加わる力が軽減されるよう構成したことを特徴とする請求項１〜４のいずれかに記載の蓋構造。
【請求項６】
請求項１〜５のいずれかに記載の蓋構造をカメラ本体に設けて成ることを特徴とするカメラ。
【請求項７】
三脚座を前記カメラ本体に取り付けるための樹脂製板部材の一部を前記弾性支持部材として用いたことを特徴とする請求項６に記載のカメラ。
【発明の詳細な説明】
【技術分野】
【０００１】
本発明は、カメラなどに設けられる蓋構造および蓋構造を有するカメラに関する。
【背景技術】
【０００２】
例えば特許文献１には、蓋としてのレンズカバーを有するカメラが開示されている。レンズカバーは、回動軸を介してカメラ本体に回動可能に支持され、開閉によりレンズを露出／隠蔽する。その他にもカメラには電池室の蓋があり、デジタルスチルカメラにはカードスロットの蓋もある。これらの蓋も回動軸を介して回動式に開閉するのが一般的である。
【０００３】
【特許文献１】特開平９−２３０４６３号公報
【発明の開示】
【発明が解決しようとする課題】
【０００４】
上記のような蓋構造では、開放される蓋の一部がカメラ本体に当接することでその回動が実質的に制限されるが、回動制限に達した後になおも開方向の力が加わると、てこの原理によって回動軸部に過大な力が作用し、軸や蓋のヒンジ部が破損するおそれがある。軸部にかかる力を低減するには、なるべく軸から離れた箇所がカメラ本体と当接するような構造とすればよいが、この場合は蓋あるいは本体に突状の当接部を設けたり、あるいは軸をカメラ本体の外面に配置する必要があり、いずれもデザイン上好ましくない。また、過大な力が加わっても破損しないように材料の強度を上げると、部品の肉厚が増し、大型化やコストアップを招来する。過大な力が加わったときにヒンジが軸から外れるようにして破損を防ぐ方法もあるが、外れたヒンジを再度取り付ける作業が煩わしい。
【課題を解決するための手段】
【０００５】
本発明は、装置本体（例えば、カメラ本体）に回動軸を介して蓋を開閉可能に支持する構造に適用される。
請求項１の発明は、回動軸を弾性支持部材により装置本体に支持し、開放側制限位置にある蓋に更に開方向の力が加わると、弾性支持部材の弾性変形により回動軸が移動することで、蓋の開放側制限を超えた開放が許容されるよう構成される。
請求項２の発明は、弾性支持部材を板ばねとしたものである。
請求項３の発明は、装置本体の一部をなす板状の樹脂部材を弾性支持部材として用いたものである。
請求項４の発明は、回動軸を弾性部材で構成し、開放側制限位置にある蓋に更に開方向の力が加わると、回動軸が弾性変形することで、蓋の開放側制限を超えた開放が許容されるよう構成される。
請求項５の発明は、蓋が開放側制限を超えて所定位置まで開放されると、蓋の先端側が装置本体に当接することで、回動軸に加わる力が軽減されるよう構成したものである。
カメラに蓋構造を適用する場合には、三脚座取付用の樹脂製板部材の一部を弾性支持部材として用いてもよい。
【発明の効果】
【０００６】
本発明によれば、回動軸を弾性支持部材により装置本体に支持し、開放側制限位置にある蓋に更に開方向の力が加わると、弾性支持部材が弾性変形することで、蓋の開放側制限を超えた開放が許容されるようにしたので、回動軸に過大な力が作用することがなく、軸や蓋の破損が防止できる。そして、上記構成によれば、開放制限における蓋と装置本体との当接箇所を考慮する必要がないので、デザイン面での不都合はなく、また回動軸や蓋のヒンジ部の剛性を高める必要もないので、大型化やコストアップも回避できる。さらに、過大な力が加わったときにヒンジが外れる構成とする必要もないので、外れたヒンジを再度取り付けるといった煩わしい作業も行わずに済む。
回動軸そのものを弾性部材で構成しても上述と同様の効果が得られる。
【発明を実施するための最良の形態】
【０００７】
図１〜図８により本発明をデジタルスチルカメラの蓋構造に適用した場合の一実施の形態を説明する。
図１，図２は本実施形態におけるデジタルスチルカメラの斜視図である。カメラ本体１０の一端側には電池室１１とカードスロット１２とが設けられ、それぞれに電源電池および画像記録用のメモリカードがカメラ側面から挿脱されるようになっている。側面には、電池室１１およびカードスロット１２を露出／隠蔽する蓋２０が設けられ、蓋２０は、図１の開状態と図２の閉状態との間で回動可能とされる。
【０００８】
図３〜図８も参照して蓋２０について詳述する。
蓋２０の本体２１は例えば樹脂製とされ、開放にあたっては蓋本体２１をカメラ本体１０に対してＡ方向にスライド移動させ、しかる後に回動させる。蓋本体２１の先端に設けたロック爪２１ａは、蓋閉時にはカメラ本体１０のロック孔に挿通されることで蓋２０の回動を阻止し、蓋本体２１のスライドによりロック孔から外れて回動を許容する。閉状態にある蓋本体２１が不用意に開かないように、スライド板金３１の一部を板ばね状とし、蓋本体２１との間にクリック機構を設けることが望ましい。
なお、蓋２０のスライドおよびクリック機構は本発明の必須要件ではない。
【０００９】
蓋本体２１は、スライド板金３１および金属製の板ばね３２を介してカメラ本体１０に支持される。スライド板金３１は、図７に示すように蓋本体２１の内面に設けたガイド部２１ｂに支持され、蓋本体２１に対して距離ｄだけスライド移動可能とされる。スライドの制限は、蓋本体２１に設けた不図示のストッパ部とスライド板金３１との当接をもってなされる。
【００１０】
図８に示すように、スライド板金３１の一端にはヒンジ部３１ａが形成され、そのヒンジ部３１ａが蓋本体２１の基端部から突出している。板ばね３２の一端側にもヒンジ部３２ａが形成され、このヒンジ部３２ａとスライド板金３１のヒンジ部３１ａとに回動軸３３を通すことで、スライド板金３１と板ばね３２とが互いに回動可能に連結される。板ばね３２の他端は、ビスＢＳ（図５）を介してカメラ本体１０に固定される。これにより蓋本体２１は、スライド板金３１と一体にカメラ本体１０に対して回動可能に、かつカメラ本体１０（スライド板金３１）に対してスライド可能に支持される。また図示は省略したが回動軸３３にはねじりばねが外挿され、これにより蓋本体２１は常に開方向に付勢される。なお、このばねは発明の必須要件ではない。
【００１１】
以上の構成において、図３に示すように蓋２０が閉じているときには、ヒンジ部３１ａ，３２ａは蓋本体２１で隠蔽され外部から視認されることはない。蓋本体２１にＡ方向の力を加えると、蓋本体２１は図４の位置まで距離ｄだけスライドし、これによりロック爪２１ａがカメラ本体１０のロック孔から外れ、蓋本体２１の回動が許容される。蓋本体２１は、上述したねじりばね（不図示）の付勢力によって開方向に回動し、図５に示すように基端側の角部がカメラ本体１０に当接することで停止する。この位置が蓋２０の通常回動制限位置である。
【００１２】
図５の状態で電池室１１やカードスロット１２に電池やメモリカードの挿脱を行うが、その際、不可抗力によって蓋２０の先端側に開方向の力Ｆが加わることがあり得る。この場合、蓋本体２１とカメラ本体１０との当接点を支点として力Ｆ’がヒンジ部分に発生するが、力点−支点間の距離Ｌが、支点−作用点間の距離Ｍよりも大幅に長いため、力Ｆが比較的小さくても力Ｆ’は大きくなる。このため、もし回動軸３３がカメラ本体１０に不動の状態で固定されている場合には、力Ｆ’によって回動軸３３が折れ曲がったり、あるいはヒンジ部３１ａ，３２ａが破損するおそれがある。本実施形態では、回動軸３３がヒンジ部３２ａを介して板ばね３２によりカメラ本体１０に支持されているため、図６に示すように板ばね３２が弾性変形することで回動軸３３のカメラ外方への移動が許容され、蓋本体２１の更なる開放が許容される。したがって、回動軸３３に過大な力は作用せず、回動軸３３やヒンジ部３１ａ，３２ａが破損に至ることはない。
【００１３】
そして、図６のように蓋本体２１がカメラ本体１０に面接触する状態になると、支点の位置が変わるため、距離Ｍが図５と比べて長くなるとともに距離Ｌが短くなり、Ｆに対するＦ’は小さくなる。したがって、もはや板ばね２３の有無に拘わらず軸３３やヒンジ部３１ａ，３２ａが破損することはない。
【００１４】
蓋本体２１に対する力Ｆが解除されると、板ばね３２の弾性力により蓋２０は閉側に回動し、自動的に図５の状態に戻る。この状態で蓋本体２１を図４の位置まで閉じ、次いで蓋２１をＢ方向に押し込むと、ロック爪２１ａがカメラ本体と係合し、蓋２０は閉位置にロックされる（図３）。
【００１５】
以上から明らかなように、本実施形態の蓋構造によれば、回動軸３３等の破損防止にあたって蓋本体２１のカメラ本体への当接位置を考慮する必要がないので、デザイン面での不都合はない。また回動軸３３やヒンジ部の剛性を高める必要もないので、大型化やコストアップも回避できる。さらに、過大な力が加わったときにヒンジが外れる構成とする必要もないので、外れたヒンジを再度取り付けるといった煩わしい作業も行わずに済む。
【００１６】
以上では、金属製の板ばね３２で回動軸３３を支持するようにしたが、樹脂製の板ばねでもよい。特に蓋をカメラ本体１１０の底面に設ける場合には、例えば図９に示すように、三脚座取付用の樹脂プレート２０１を板ばねとして用いることができる。詳しく説明すると、図９の２０２は三脚座であり、ビスＢＳによりプレート２０１を介してカメラ底面に取り付けられる。プレート２０１には、２本のスリットの間に板ばね部２０１ａが形成され、その先端にヒンジ部２０１ｂが構成されている。蓋１２０は例えば電池室の蓋であり、蓋１２０のヒンジ部１２１と板ばね部２０１ａのヒンジ部２０１ｂとに回動軸１３３が通されている。これにより蓋１２０はカメラ底面に回動可能に軸支され、電池室を開閉する。回動制限位置にある蓋１２０に更に開方向の力が加わると、プレート２０１の板ばね部２０１ａが弾性変形し、先の実施形態と同様に回動軸１３３がカメラ本体１１０の外方へ移動することで蓋１２０の更なる開放が許容される。このようにカメラに既存の部材を板ばねとして利用することで、部品点数の低減が図れる。なお、三脚座取付用のプレート以外の既存の樹脂部材を回動軸保持用の板ばねとして用いてもよい。
【００１７】
また、板ばねに代えてコイルばねを用いてもよく、あるいは板ばねもコイルばねも用いず、図１０に示すように回動軸そのものを弾性体で構成してもよい。回動軸３３３は、例えば携帯電話機のアンテナに用いられるようなＮｉＴｉ超弾性合金から成り、蓋３２０のヒンジ部３２１を通して両端がカメラ本体４１０に固定される。回動制限位置にある蓋３３０に更に開方向の力が加わると、回動軸３３３が図１０（ｂ）のように弾性変形し、その中央部がカメラ本体４１０の外方へ移動することで蓋３２０の更なる開放が許容される。これによれば、別体のばね部材が不要となり、部品点数の低減が図れる。
【００１８】
なお、電池室やカードスロットの蓋の他に、例えばカメラの端子部（デジタル／アナログ端子、電源端子等）を露出／隠蔽する蓋や、銀塩カメラであれば裏蓋にも本発明を適用できる。またカメラ以外の装置に設けられる蓋にも同様に本発明を適用できる。
【図面の簡単な説明】
【００１９】
【図１】一実施形態におけるデジタルスチルカメラの斜視図であり、電池室およびカードスロットの蓋が開かれた状態を示す。
【図２】図１と同様の図で、蓋が閉じられた状態を示す。
【図３】上記カメラの蓋部分を示す図で、蓋が閉じられた状態を示す。
【図４】図３と同様の図で、スライドにより蓋のロックが外された状態を示す。
【図５】図３と同様の図で、蓋が回動制限まで開かれた状態を示す。
【図６】図３と同様の図で、蓋が回動制限を超えて開かれた状態を示す。
【図７】蓋の内面を示す図。
【図８】蓋をカメラ本体に支持するための構造を示す図。
【図９】他の実施形態におけるカメラの底面図で、三脚座取付プレートの一部を板ばねとして用いた例を示す。
【図１０】更に他の実施形態におけるカメラの要部を示す図で、蓋の回動軸を弾性部材で構成した例を示す。
【符号の説明】
【００２０】
１０，１１０，４１０  カメラ本体
１１  電池室
１２  カードスロット
２０，１２０，３２０  蓋
２１  蓋本体
２１ａ  ロック爪
３１  スライド板金
３１ａ，３２ａ  ヒンジ部
３２  板ばね
３３，１３３，３３３  回動軸
１２１  ヒンジ部
２０１  三脚座取付用プレート
２０１ａ  板ばね部
２０１ｂ  ヒンジ部
２０２  三脚座
ＢＳ  ビス
【図１】
2005208143.tif 000003
【図２】
2005208143.tif 000004
【図３】
2005208143.tif 000005
【図４】
2005208143.tif 000006
【図５】
2005208143.tif 000007
【図６】
2005208143.tif 000008
【図７】
2005208143.tif 000009
【図８】
2005208143.tif 000010
【図９】
2005208143.tif 000011
【図１０】
2005208143.tif 000012